(57)【要約】本発明は半導体構成素子および半導体構成素子の同定方法に関する。この半導体構成素子は、電子的／電子機械的構成部材の設けられた少なくとも１つの半導体基板を有し、この半導体基板はその端子を除いて、射出成形材料からなるケーシング部材に埋め込まれている。ケーシング部材に配置された半導体基板に、この上に直接的または間接的に配置された識別子を設けることが提案される。この識別子は、半導体構成素子を他の同形式に構成された半導体構成素子から区別することを可能にし、超音波によってケーシング部材の外側から読出すことができる。完成された半導体基板では識別子によって、選択された半導体構成素子の半導体基板の、複数の半導体基板が作製されたベース基板における元の位置を、個別化と半導体基板をケーシング部材に取り付けた後でも検出することができる。
2004506327.tif 000002
【特許請求の範囲】
【請求項１】
電子的／電子機械的構成部材（１３）の設けられた少なくとも１つの半導体基板（４）を有する半導体構成素子であって、該半導体構成素子はその端子（１１）を除いて、プラスチックからなるケーシング部材（８）に埋め込まれている形式の半導体構成素子において、
ケーシング部材（８）に配置された半導体基板（４）には、その上に直接または間接的に配置された識別子（２０）が設けられており、
該識別子は、半導体構成素子（１）を同形式に構成された他の半導体構成素子から区別することができ、かつ超音波によってケーシング部材（８）の外部から読出すことができる、
ことを特徴とする半導体構成素子。
【請求項２】
識別子（２０）は凹部（２１）のパターンによって、半導体基板（４）の面部分（１５，２２）またはその上に配置された構成部材（５）に形成されている、請求項１記載の半導体構成素子。
【請求項３】
凹部（２１）はエッチングにより作製されている、請求項２記載の半導体構成素子。
【請求項４】
凹部（２１）の内壁は面部分（１５，２２）に対して傾斜している、請求項２記載の半導体構成素子。
【請求項５】
凹部（２１）は、半導体基板（４）に配置されたカバー部材（５）のうち、半導体基板（４）に向いた内側（２２）に形成されており、
該カバー部材（５）は半導体基板（４）と共に中空空間（６）を取り囲んでいる、請求項１から４までのいずれか１項記載の半導体構成素子。
【請求項６】
半導体基板または構成部材上に配置された識別子は、材料層または異なる材料からなる層システムからなるパターンによって形成されており、
当該パターンでは、超音波が半導体基板または構成部材の材料の場合とは異なる速度で伝播する、請求項１記載の半導体構成素子。
【請求項７】
ケーシング部材は射出成形材料から形成されており、
半導体基板上またはその上の部材に配置された識別子は、射出成形材料の付着性が半導体基板または構成部材の材料の場合よりも悪い材料からなるパターンによって形成されている、請求項１記載の半導体構成素子。
【請求項８】
識別子は銀スポットからなるパターンにより形成されている、請求項７記載の半導体構成素子。
【請求項９】
ケーシング部材は射出成形材料から形成されており、
半導体基板上またはその上の部材に配置された識別子は、射出成形材料が半導体基板または構成部材の材料の場合よりも良好に付着する材料からなるパターンにより形成されている、請求項１記載の半導体構成素子。
【請求項１０】
半導体構成素子上の識別子はポリイミドスポットからなるパターンにより形成されている、請求項９記載の半導体構成素子。
【請求項１１】
電子的／電子機械的構成部材（１３）の設けられた少なくとも１つの半導体基板（４）を有する半導体構成素子を同定するための方法であって、
前記半導体基板は複数の別の半導体基板（４）と共に１つの共通のベース基板（７）に作製され、
半導体基板（４）は作製後に個別化され、線路格子（１１，１２）に取り付けられ、続いてそれぞれの端子（１１）を除いて、射出成形材料からなるケーシング部材（８）により取り囲まれる形式のものにおいて、
使用するすべての半導体基板（４）に対して、個別化の前にそれぞれの半導体基板のベース基板（７）における位置を示す識別子（２０）を設け、
該識別子は半導体基板上に直接または間接的に配置されており、
選択された半導体基板（４’）の識別子（２０）を、個別化しケーシング部材（８）に取り付けた後、半導体構成素子（１）の同定のために超音波装置によってケーシング部材（８）の外側から読出す、
ことを特徴とする同定方法。
【請求項１２】
超音波装置として超音波顕微鏡を使用する、請求項１１記載の方法。
【発明の詳細な説明】
【０００１】
従来の技術
本発明は、半導体構成素子および半導体構成素子の識別方法に関する。
【０００２】
半導体構成素子を共通のベース基板、例えばシリコンウェハ上に製造することは公知である。電子的／電子機械的構成部材の設けられた個々の半導体基板の製造後に、これらは個別化される。このことはベース基板の鋸引きにより行うことができる。そして個々の半導体基板は線路格子の取り付け部分、いわゆるリードフレームに取り付けられ、線路格子のコンタクト部分とボンディングワイヤを介して接続される。「トランスファ成形」として公知の射出成形法では、続いて半導体基板が、コンタクト部分によって形成されたその端子を除いて、射出成形材料からなるケーシング部材に埋め込まれる。この方法は例えば「Ａｄｖａｎｃｅｄ Ｍｉｃｒｏｓｙｓｔｅｍｓ ｆｏｒ Ａｕｔｏｍｏｔｉｖｅ Ａｐｐｌｉｃａｔｉｏｎｓ ９９， Ｄ．Ｄ． Ｒｉｃｋｅｎ， Ｗ． Ｇｅｓｓｎｅｒ， ｐｐ１２６ｆｆ」に記載されている。
【０００３】
ベース基板上での個々の半導体基板の元の位置を、完成した半導体構成素子の個別化および製造の後でも識別することがしばしば必要である。このことが必要となるのは、例えばベース基板上で実行された予測定の測定結果を、製造され個別化された完成半導体構成素子で実行される最終測定の測定結果と比較するためである。従って個々の半導体基板をベース基板上で識別することが所望される。半導体基板に光学的に識別可能な識別コードを付すことには欠点がある。なぜなら、この識別コードは、半導体基板をケーシング部材に埋め込んだ後には外側から識別することができないからである。従って半導体基板の識別コードを光学的に識別し、評価するためには、まず射出成形材料を例えばエッチングにより部分的に除去しなければならない。貫通されたり、部分的に破壊された半導体構成素子はもはや使用不能となる。
【０００４】
発明の利点
請求項１の構成を有する本発明の半導体構成素子は、半導体構成素子を同定し、半導体構成素子に含まれる半導体基板の、ベース基板における元に位置を識別できるという利点を有し、しかもその際に半導体構成素子が破壊されることがない。このことは半導体基板上に間接的または直接的に配置された識別子により達成される。この識別子は、半導体構成素子のケーシング部材の外側から超音波によって読出すことができる。ここではケーシング部材のプラスチックが超音波に対して透過性であることが利用される。従って超音波装置を用いて、照射した超音波の種々異なる伝搬距離を測定することにより、または半導体構成素子で反射された超音波を測定することにより、識別子の付された半導体構成素子の面構造の画像を形成することができ、この識別子を評価して、半導体構成素子を同定することができる。
【０００５】
識別子は基本的に種々異なる形式で作製することができる。しかし識別子を凹部のパターンとして半導体基板の面部分に形成するか、または面部分の上に配置された構成部材に形成すると特に簡単である。凹部は例えばエッチングにより形成することができる。このことは、電子的／電子機械的構成部材がセンサ上にマイクロメカニカル構造体のエッチングにより形成されており、同様にエッチングにより作製されるカバー部材により覆われる構造の半導体センサにおいて特に有利である。続いて凹部は有利には、半導体基板に配置されたカバー部材の内側（半導体基板に向いた側）に形成される。このことはケーシング部材のプラスチック材料が半導体基板およびカバー部材の材料に音響的に良好に適合する場合に有利である。すなわちこの場合は、超音波がケーシング部材と半導体基板ないしカバー部材との境界面で非常に僅かしか反射せず、識別子はこの場合、ほとんど識別できない。半導体基板とカバー部材とにより形成された中空空間にはガスまたは真空が存在する。従っていずれの場合でも、カバー部材の内側と中空空間との間の境界面で音響的な不適合が存在する。従ってカバー部材の内側に配置された識別子を超音波顕微鏡で良好に識別することができる。異方性エッチングにより凹部の内壁を、凹部の作製される面部分に対して所定の角度だけ傾斜させることができる。これにより有利には超音波は凹部の領域で入射方向に対して斜めに反射される。
【０００６】
別の実施例では、半導体基板または構成部材上に配置された識別子が次のような材料層または種々異なる材料の層システムからなるパターンにより形成される。すなわち超音波が半導体基板または構成部材の材料内とは異なる速度で伝播する材料層または層システムからなるパターンにより形成される。この場合、このようなパターンの取り付けにより反射特性に音響的不適合が生じることが利用される。これにより超音波は、パターン材料と半導体基板または構成部材との間の境界面で、ないしはパターンを形成する構造的層システムの２つの層の境界面で、パターンの設けられていない半導体基板の表面とは異なって反射される。
【０００７】
別の実施例では超音波の反射特性が、ケーシング材料の付着特性を半導体基板上で変化させることにより変化される。有利にはケーシング部材は射出成形材料からなり、半導体基板に配置された識別子または半導体基板上の構成部材に配置された識別子は次のような材料からなるパターンにより形成される。すなわち、射出成形材料の付着性が、半導体基板または構成部材の材料の場合よりも悪い材料からなるパターンにより形成される。このことは例えば、識別子を銀スポットにより形成することにより達成される。射出成形材料を銀スポットの設けられた半導体基板の表面個所で層剥離することにより、照射される超音波の反射特性が変化する。これにより識別子を超音波受信器により読出すことができる。
【０００８】
半導体基板またはその上に配置された構成部材に配置された識別子を次のような材料からなるパターンにより形成することも可能である。すなわち、射出成形材料が半導体構成素子または構成部材の材料の場合よりも良好に付着する材料からなるパターンにより形成することも可能である。例えば半導体構成素子上の識別子はポリイミドスポットからなるパターンにより形成される。ポリイミドにはケーシング部材の射出成形材料が半導体基板の材料よりも良好に付着する。
【０００９】
さらに有利には、電子的／電子機械的構成部材の設けられた少なくとも１つの半導体基板を有する半導体構成素子を同定するための方法であって、前記半導体基板は複数の別の半導体基板と共に１つの共通のベース基板に作製され、半導体基板は作製後に個別化され、線路格子に取り付けられ、続いてそれぞれの端子を除いて、射出成形材料からなるケーシング部材により取り囲まれる形式のものにおいては、使用するすべての半導体基板に対して、個別化の前にそれぞれの半導体基板のベース基板における位置を示す識別子を設け、該識別子は半導体基板に直接または間接的に配置されており、選択された半導体基板の識別子を、個別化しケーシング部材に取り付けた後、半導体構成素子の同定のために超音波装置によってケーシング部材の外側から読出す。超音波装置として有利には超音波顕微鏡が使用される。
【００１０】
図面
本発明の実施例を図面に基づき詳細に説明する。
【００１１】
図１は、カバー部材の内側に配置された超音波識別子を有する本発明の半導体構成素子の断面図である。
【００１２】
図２は、半導体構成素子の平面図である。
【００１３】
図３ａと図３ｂは、カバー部材の設けられた半導体基板をケーシング部材に取り付ける前の断面図と平面図である。
【００１４】
実施例の説明
図１は、本発明の半導体構成素子の断面を示す。図示の半導体構成素子１は例えば自動車用の加速度センサとすることができ、例えばシリコンからなるそれ自体公知の半導体基板４を有する。この半導体基板の上側１７には電気機械的な構造体１３がエッチングプロセスで作製されている。半導体基板上の構造体１３はカバー部材５により覆われている。このカバー部材も同様に半導体材料、例えばシリコンから作製されており、ガラスからなる周回パッキンによって、または他の仕方で半導体基板と結合されている。カバー部材５はエッチングプロセスで作製された切欠部６を有し、この切欠部は構造体１３の上に配置される。さらに導体路１９が構成部材１３を半導体基板４の上側１７で電気的に接続するため配置されている。
【００１５】
半導体基板の製造は通常のように共通のベース基板上で行われる。このベース基板は例えばシリコンウェハである。このようなベース基板７の一部が図２に示されている。個々の半導体基板はベース基板上に作製される。このとき各半導体基板には電子的および／または電子機械的構成部材１３と導体路１９が設けられる。その後、半導体基板４はそれぞれ１つのカバー部材５により覆われ、個別化される。個別化は通常はウェハの鋸引きにより行われる。続いて半導体基板４の下側１８が個別に線路格子の取り付け部分１２，いわゆるリードフレームに個別に取り付けられ、半導体基板４の導体路１９がリードフレームのコンタクト部分１１とボンディングワイヤ１６を介して接続される。その後、線路格子のコンタクト部分１１は例えば打ち抜きまたは切断により相互に分離され、半導体基板４はカバー部材５と共に射出成形金型内でコンタクト部分１１の端部を除いて、射出成形材料（モールドコンパウンド）からなるケーシング部材８により取り囲まれる。射出成形材料は例えば熱硬化性樹脂とすることができる。完成された半導体構成素子１が図１に示されている。
【００１６】
本発明の半導体構成素子の実施例では、カバー部材５の内側２２に識別子２０が設けられている。この識別子は刻み目状の凹部２１のパターンからなる。凹部２１はカバー部材のエッチングにより形成することができ、有利にはカバー部材５の内側２２に対して斜めに延在する内壁を有する。識別子２０はコード、例えば２進コードを含み、これから半導体基板４のベース基板における元の位置を識別することができる。射出成形後、識別子２０は光学的には識別することができない。半導体構成素子１は外側からは区別できないから、選択された半導体構成素子を光学的に同定することは不可能である。しかし超音波を、超音波送信器と超音波受信器とを有する超音波装置によって照射することにより、識別子２０をケーシング部材８に開口部がなくても読出すことができる。超音波はケーシング部材８を貫通するから、照射された超音波と受信された超音波の伝搬経路差を測定することにより、または反射の差を測定することにより、識別子２０を備える面部分２２の画像を形成し、評価することができる。超音波は凹部２１では面部分２２とは異なって反射されるから、識別子２０を超音波装置により検出し、画像表示することができる。有利にはこのために超音波顕微鏡が使用される。識別子の評価によって、半導体構成素子に埋め込まれた半導体基板４の、ベース基板７における元の位置を推定することができる。
【００１７】
識別子２０は、半導体基板４とは反対側のカバー部材５に配置することもできる。これは図３ａと図３ｂに示されている。さらに識別子２０を半導体基板４に直接配置することもできる。さらに識別子２０は必ずしも凹部によって形成する必要はない。例えば半導体基板上またはその上に配置された部材上にある識別子をパターンないしは構造化した層の塗布により形成することもできる。層は個々の材料層からなることも、種々の材料からなる層システムとすることもでき、この材料において超音波が半導体基板または構成部材の材料の場合とは異なる速度で伝播すればよい。
【００１８】
別の実施例では、超音波の反射が、ケーシング材料の半導体基板における付着力の変化によって調整される。例えば半導体基板上の識別子またはその上に配置された部材上の識別子を、射出成形材料が半導体基板または部材の材料の場合よりも付着性の悪い材料からなるパターンにより形成することができる。このことは例えば次のようにして達成される。すなわち識別子を銀スポットからなるパターンにより形成するのである。射出成形材料を半導体基板表面の銀スポットの設けられた個所で剥離することにより、照射される超音波の反射率が変化する。これにより識別子を超音波受信器によって読出すことができる。相応にして、半導体基板上の識別子、またはその上に配置された部材上の識別子を、射出成形材料が半導体基板または部材の材料の場合よりも良好に付着する材料からなるパターンにより形成することができる。例えば半導体構成素子上の識別子をポリイミドスポットからなるパターンにより形成することができる。ポリイミドスポットではケーシングの射出成形材料が半導体基板の場合よりも良好に付着するからである。
【図面の簡単な説明】
【図１】図１は、カバー部材の内側に配置された超音波識別子を有する本発明の半導体構成素子の断面図である。
【図２】図２は、半導体構成素子の平面図である。
【図３】図３ａと図３ｂは、カバー部材の設けられた半導体基板をケーシング部材に取り付ける前の断面図と平面図である。
【国際公開パンフレット】
2004506327.tif 000003
2004506327.tif 000004
2004506327.tif 000005
2004506327.tif 000006
2004506327.tif 000007
2004506327.tif 000008
2004506327.tif 000009
2004506327.tif 000010
2004506327.tif 000011
2004506327.tif 000012
2004506327.tif 000013
2004506327.tif 000014
2004506327.tif 000015
2004506327.tif 000016
2004506327.tif 000017
2004506327.tif 000018
【国際公開パンフレット（コレクトバージョン）】
2004506327.tif 000019
2004506327.tif 000020
【手続補正書】
【提出日】平成14年7月17日(2002.7.17)
【手続補正１】
【補正対象書類名】明細書
【補正対象項目名】請求項１
【補正方法】変更
【補正の内容】
【請求項１】
電子的／電子機械的構成部材（１３）の設けられた少なくとも１つの半導体基板（４）を有する半導体構成素子であって、該半導体構成素子はその端子（１１）を除いて、プラスチックからなるケーシング部材（８）に埋め込まれている形式の半導体構成素子において、
ケーシング部材（８）に配置された半導体基板（４）には、半導体基板（４）の上に直接または間接的に配置された識別子（２０）が設けられており、
該識別子は、半導体構成素子（１）を同形式に構成された他の半導体構成素子から区別することができ、かつ超音波によってケーシング部材（８）の外部から読出すことができるが、光学的にはケーシング部材（８）の外側からは識別できない、
ことを特徴とする半導体構成素子。
【手続補正２】
【補正対象書類名】明細書
【補正対象項目名】請求項１１
【補正方法】変更
【補正の内容】
【請求項１１】
電子的／電子機械的構成部材（１３）の設けられた少なくとも１つの半導体基板（４）を有する半導体構成素子を同定するための方法であって、
前記半導体基板は複数の別の半導体基板（４）と共に１つの共通のベース基板（７）に作製され、
半導体基板（４）は作製後に個別化され、線路格子（１１，１２）に取り付けられ、続いてそれぞれの端子（１１）を除いて、射出成形材料からなるケーシング部材（８）により取り囲まれる形式のものにおいて、
使用するすべての半導体基板（４）に対して、個別化の前にそれぞれの半導体基板のベース基板（７）における位置を示す識別子（２０）を設け、
該識別子は半導体基板（４）上に直接または間接的に配置されており、
選択された半導体基板（４’）の識別子（２０）を、個別化しケーシング部材（８）に取り付けた後、半導体構成素子（１）の同定のために超音波装置によってケーシング部材（８）の外側から読出す、
ことを特徴とする同定方法。
【国際調査報告】
2004506327.tif 000021
2004506327.tif 000022
2004506327.tif 000023
2004506327.tif 000024
2004506327.tif 000025
2004506327.tif 000026